(57)【要約】【課題】医療廃棄容器をワゴンに保持することができると共に、使用済みの注射針等の医療廃棄物を容器内に簡単かつ確実に廃棄するのを補助し得る医療廃棄容器の支持構造を提供する。【解決手段】ワゴンの鉛直方向に延びるフレーム２に医療廃棄容器１を引っ掛けるためのハンガー３を設けた医療廃棄容器の支持構造に関する。前記ハンガー３は、水平面に沿って広がり、前記容器１の側面が概ね全周にわたって接触する枠状のリング３０と、前記リング３０を前記フレーム２に保持させるための保持機構４とを備え、前記リング３０は前記容器１の側面に面接触する接触面を前記リング３０の概ね全周に有することを特徴とする。【選択図】図１
0003157487.tif 000002
【実用新案登録請求の範囲】
【請求項１】
ワゴンの鉛直方向に延びるフレームに医療廃棄容器を引っ掛けるためのハンガーを設けた医療廃棄容器の支持構造であって、
前記ハンガーは、水平面に沿って広がり、前記容器の側面が概ね全周にわたって接触する枠状のリングと、
前記リングを前記フレームに保持させるための保持機構とを備え、
前記リングは前記容器の側面に面接触する接触面を前記リングの概ね全周に有することを特徴とする医療廃棄容器の支持構造。
【請求項２】
請求項１において、板厚が３．０ｍｍ〜７．０ｍｍのステンレススチールの厚板で前記リングが形成され、前記厚板が切り抜かれた切断面で前記接触面が形成されていることを特徴とする医療廃棄容器の支持構造。
【請求項３】
請求項１もしくは２において、前記医療廃棄容器は側面の上部において水平方向に突出する突出部を有し、前記リングの上面が前記突出部の下端を支持することにより前記医療廃棄容器が前記リングに引っ掛けられている医療廃棄容器の支持構造。
【請求項４】
請求項１ないし３のいずれか１項において、前記容器を手に下げて持ち運び可能で、かつ、前記容器を前記ハンガーから取り出す際に上方に向って前記容器を持ち上げることのできる把手が前記容器に設けられている医療廃棄容器の支持構造。
【考案の詳細な説明】
【技術分野】
【０００１】
本考案は医療廃棄容器をワゴンのフレームに引っかけるための医療廃棄容器の支持構造に関するものである。
【背景技術】
【０００２】
従来より、一度使用された注射針は、院内感染を防ぐため、再度使用されることなく廃棄されている。使用済みの注射針は患者から抜き取った後、その場で、直ちに医療廃棄容器に廃棄される。かかる医療廃棄容器については、種々の提案がなされている（特許文献１および２参照）。
【先行技術文献】
【特許文献】
【０００３】
【特許文献１】登録意匠番号１１６６２０２公報
【特許文献１】U.S.PATENT 4,375,849
【考案の概要】
【０００４】
ここで、注射針を注射器本体から取り外すには、図９に示す注射針５ａを、図１に示す取外孔１０の丸孔１０ａに矢印のように挿入して手前に移動させることで、図９に示す注射針５ａのフランジ部５ｃが溝１０ｂの両端に翼状に形成された両端部１０ｃ（図１）に係合する。
その後、注射器５全体を手前方向Ｒ１に倒すと、前記両端部１０ｃに係合している注射針５ａが注射器本体５ｂから抜け落ち、容器本体１ａ内に注射針５ａが収納される。
しかし、注射器５を手前に倒す際に容器１全体が傾いて倒れるのを防止するために、前記容器１を片方の手でしっかりと保持する必要があり作業性が低い。また、前記容器をワゴン上に載置して院内を移動する場合、該容器が転倒するおそれがある。
【０００５】
そこで、前記容器をワゴンに取り付けことが考えられる。かかる場合には容器がワゴン上で転倒するのを防止することができる。
しかし、注射針の引き抜き時において、容器がワゴンにしっかりと保持されずガタつきが生じる場合には、片方の手で容器を保持する必要があり作業性が向上しない。
【０００６】
したがって、本考案の目的は、医療廃棄容器をワゴンに保持することができると共に、使用済みの注射針等の医療廃棄物を容器内に簡単かつ確実に廃棄するのを補助し得る医療廃棄容器の支持構造を提供することである。
【０００７】
前記目的を達成するために、本考案に係るある医療廃棄容器の支持構造は、ワゴンの鉛直方向に延びるフレームに医療廃棄容器を引っ掛けるためのハンガーを設けた医療廃棄容器の支持構造であって、前記ハンガーは、水平面に沿って広がり、前記容器の側面が概ね全周にわたって接触する枠状のリングと、前記リングを前記フレームに保持させるための保持機構とを備え、前記リングは前記容器の側面に面接触する接触面を前記リングの概ね全周に有することを特徴とする
【０００８】
本考案によれば、前記ハンガーは保持機構によりワゴンのフレームに保持される共に、該フレームのリングに前記容器を引っ掛けることで、ワゴンの移動中に容器が転倒するおそれがない。
【０００９】
また、容器の側面の抜き勾配に沿ってリングの側面の接触面を形成すれば、容器の側面と前記接触面とが面接触し、容器がリング内にピッタリと入り込み、容器をしっかりと保持することができる。
前述したように、注射針を取外孔に挿入した後溝に移動させた後、注射器を傾けて注射針を注射器本体から取り外す際には、容器がしっかりと保持されているので、片手で注射器を倒して注射針の取り外し作業を行うことが可能となる。
【００１０】
一方、容器の側面に接する接触面が鉛直に形成された場合、前記接触面と容器側面との間に若干の隙間が生じる。しかし、注射針の取り外し時において、容器が抜き勾配に沿って斜めに若干傾くので、容器の側面がリングの側面の接触面に面接触する。そのため、容器が大きくガタつくことがないので注射針の取り外し作業に支障を来すおそれがない。
【図面の簡単な説明】
【００１１】
【図１】本考案の実施例１にかかる医療廃棄容器用ハンガーの用い方を示す概略斜視図である。
【図２】同医療廃棄容器用ハンガーの用い方を示す裏面から見た概略斜視図である。
【図３】医療廃棄容器用ハンガーに医療廃棄容器を取り付けた状態を示す一部破断した概略背面図である。
【図４】医療廃棄容器、フレームおよび医療廃棄容器用ハンガーを示す概略斜視図である。
【図５】医療廃棄容器用ハンガーをフレームに取り付けた状態を示す概略斜視図である。
【図６】医療廃棄容器用ハンガーを示す概略側面図である。
【図７】本考案の実施例２にかかる医療廃棄容器および医療廃棄容器用ハンガーを示す概略断面図である。
【図８】医療用ワゴンを示す概略斜視図である。
【図９】医療廃棄容器の用い方を示す部分断面図である。
【考案を実施するための形態】
【００１２】
本考案の好ましい態様において、板厚が３．０ｍｍ〜７．０ｍｍのステンレススチールの厚板で前記リングが形成され、前記厚板が切り抜かれた切断面で前記接触面が形成されている。
【００１３】
ここで、前記リングを棒状のステンレススチールなどの部材を屈曲させて溶接し、平面ロ字形に形成することが考えられる。しかし、前記棒状部材の弾性力により形成後にリングに歪みが生じ、医療廃棄容器の外形に沿った正確な形状に作成するのが難しい。そのため、医療廃棄容器がしっかりと保持されずガタツキが生じ易い。
【００１４】
これに対し、ステンレススチールの厚板を切り抜くことで、前記容器の外形に沿った正確な形状のリングを作成することができる。そのため、前記容器がリングにシッカリと嵌まり、ガタツキを防止することができる。
また、厚板を切り抜くことで、棒状部材を屈曲させてリング状に形成する場合に比べ溶接部分等の強度の弱い部分が生じないので、剛性が大きくなり経時的な変形を受けにくくなる。
【００１５】
なお、ステンレススチールの厚板を切り抜く方法としては、たとえば、レーザー加工による溶断や、ウォータージェット加工を採用するのが好ましい。かかる加工方法を用いることにより、小ロット生産になり易いが、大規模なプレス加工機等が不要となり制作コストが安価になる。
【００１６】
本考案の好ましい態様において、前記医療廃棄容器は側面の上部において水平方向に突出する突出部を有し、前記リングの上面が前記突出部の下端を支持することにより前記医療廃棄容器が前記リングに引っ掛けられている。
かかる態様によれば、前記容器の側面上部の突出部をリングが支えることで、容器の抜き勾配に沿ってリングが堅く嵌まり込むおそれがないから、容器を上方に向って取り出し易い。
なお、前記突出部は容器の側面上部に沿って帯上に設けられていてもよいし、複数箇所に設けられてもよい。なお、把手を設けた場合には把手の取付部に設けられてもよい。
【００１７】
本考案の好ましい態様において、前記容器を手に下げて持ち運び可能で、かつ、前記容器を前記ハンガーから取り出す際に上方に向って前記容器を持ち上げることのできる把手が設けられている。
かかる態様によれば、容器をリングから取り外す場合には、把手を持ち上げることで、リングから容器を上方に向って取り出し易くなる。
【実施例１】
【００１８】
図１〜図６は実施例１を示す。
図１および図２に示すように、ハンガー３は容器１を医療用ワゴンＷ（図８）のフレーム２に保持するものである。
【００１９】
医療廃棄容器１：
医療廃棄容器用ハンガーの説明に先立ち、まず、図８に示す医療用ワゴンＷに保持される医療廃棄容器１について説明する。
図１および図２に示すように、前記容器１は方形の樹脂性の容器であり、容器本体１ａおよび内蓋１５および外蓋１６を備えている。
【００２０】
突出部１９；
図３および図４に示すように、前記容器本体１ａの上部の周囲には、帯状突出部１９ａが形成されていると共に、後述する把手１８のヒンジ部１８ａに対応する部分には取付部１９ｂが形成されている。前記帯状突出部１９ａおよび取付部１９ｂは、容器１の側面の上部において水平方向Ｈ（図３）に突出する突出部１９を形成している。
【００２１】
内蓋；
前記内蓋１５は容器本体１ａの上部に嵌め込まれており、外蓋１６は内蓋１５に対して回転可能になっている。
【００２２】
前記内蓋１５は、その上面１５に注射針５ａ（図９）を取り離すための取外孔１０、および注射器投入口１７等を備えている。取外孔１０は、該取外孔１０内に注射針５ａを挿入し該注射器５を倒すことで注射針５ａを注射器本体５ｂから取り外すことが可能な形状に形成されている。図１に示すように、取外孔１０には、丸孔１０ａ、溝１０ｂおよび両端部１０ｃが形成されている。溝１０ｂは丸孔１０ａと接するように手前方向に向って形成されている。溝１０ｂの両端には翼状の両端部１０ｃが形成されている。
【００２３】
注射針を含む注射針を注射器本体から取り外す際には、図１の矢印で示す注射針５ａを取外孔１０に挿入した後、図９に示すように注射器５を手前に移動させ、注射針５ａのフランジ部５ｃを溝１０ｂの両端部１０ｃに係合させる。前記注射器５を手前方向Ｒ１に倒すと、注射針５ａが注射器本体５ｂから抜け落ち、該注射針５ａが容器本体１ａ内に落下して収納される。
注射器投入口１７には注射針や、注射器本体、シリンジ等が投入される。前記注射針の取り外しや前記投入は外蓋１６が回動されて開かれた状態で行われる。
【００２４】
容器１内に注射針や注射器等が投入され廃棄される場合には、外蓋１６を内蓋１５に向って回動させ、取外孔１０および注射器投入口１７を閉じた状態で外蓋１６が固定されて外蓋１６が開かないように閉じられる。
【００２５】
把手１８；
前記容器１は、図１および図３に示すヒンジ部１８ａを中心に回転可能な把手１８を備えており、前記把手１８を持って容器１を手に下げて持ち運ぶことが可能である。ヒンジ部１８ａは、取付部１９ｂに回転自在に取り付けられている。
【００２６】
医療用ワゴンＷ：
つぎに、前記容器１を取り付ける医療用ワゴンＷについて簡単に説明する。
病院内では注射器やその他の医療器具等を運ぶために、図８に示す医療用ワゴンＷが一般に用いられている。前記ワゴンＷは、該ワゴンＷの鉛直方向Ｚに延びるパイプフレーム２を備えている。
【００２７】
医療廃棄容器用ハンガー３：
図４に示すように、前記医療廃棄容器用ハンガー３は前記ワゴンＷ（図８）のフレーム２に固定されて用いられる。前記フレーム２に前記ハンガー３が固定された後、図１および図２に示すように、容器１が該ハンガー３に引っ掛けて用いられる。
【００２８】
図５に示すように、前記ハンガー３は容器１（図１）が引っ掛けられる枠状のリング３０と、ハンガー３をフレーム２に保持するための保持機構４とを備えている。
【００２９】
保持機構４；
図４に示すように、前記保持機構４は、被固定部４０、押圧部４３、止めネジ４４およびハンドル４５を備えている。
【００３０】
図６に示すように、前記被固定部４０は、その側面がコ字形に曲げられた、たとえばステンレススチールからなる部材で形成されている。被固定部４０は、フレーム２への取付時に水平方向Ｈに沿って延びる上部４０ｕおよび下部４０ｄと、前記上部４０ｕおよび下部４０ｄとを繋ぐ鉛直部４０ａとが一体に形成されてなる。
【００３１】
図４および図５に示すように、前記上部４０ｕおよび下部４０ｄは、その平面が略Ｃ字形に形成されており、その内部の切欠部４０ｃにフレーム２を挿入することが可能な形状に形成されている。図５に示すように、切欠部４０ｃは、該切欠部４０ｃにフレーム２を挿入すると、フレーム２の内径の概ね半分程度が切欠部４０ｃに当接するように形成されている。
【００３２】
図６に示すように、前記鉛直部４０ａには、止めネジ４４が螺合する雌ねじが形成されている。前記止めネジ４４の端部にはフレーム２に接触する押圧部４３が固定されている。前記押圧部４３はたとえば、ゴム等の弾力性を有する材料で形成されている。
止めネジ４４の他端部には止めネジ４４を回転させるためのハンドル４５が固定されている。
【００３３】
前記フレーム２に被固定部４０を嵌め込んだ後、ハンドル４５を回転させることで、押圧部４３によりフレーム２の押圧部４３の接触部分が押されると共に、フレーム２の反対側の面が被固定部４０の切欠部４０ｃに押圧される。したがって、切欠部４０ｃと押圧部４３との間にフレーム２が挟まれ、被固定部４０がフレーム２にしっかりと固定される。
したがって、被固定部４０、押圧部４３、止めネジ４４およびハンドル４５は、ハンガー３をフレーム２に保持させるための保持機構４を構成している。
【００３４】
継ぎ部３５；
前記上部４０ｕおよび下部４０ｄの端部は、リング３０に一体に形成されている継ぎ部３５の鉛直部３５ａにそれぞれ溶接されている。継ぎ部３５は、前記鉛直部３５ａを形成する鉛直方向Ｚから水平方向Ｈに直角に折り曲げられており、継ぎ部３５の水平方向の端部は、リング３０の１つの頂部近傍に一体に形成されている。
【００３５】
リング３０；
リング３０および継ぎ部３５は一体の厚板が切り抜かれた後、継ぎ部３５の鉛直部３５ａに相当する部分が屈曲されて作成される。リング３０はレーザー加工により溶断されることで、その内周面３０ａは鉛直に形成されている。
なお、リング３０および鉛直部３５ａを作成するための厚板は、板厚が４．０ｍｍ〜６．０ｍｍのステンレススチールの厚板が用いられる。
【００３６】
リング３０は、容器１の第１〜第４側面１１〜１４に対応する第１〜第４辺３１〜３４を備えている。
図１に示す継ぎ部３５側のリング３０の第１辺３１には、図３に示すように、容器１の第１側面１１に対向する接触面３０ａが形成されている。
図２に示す前記第１辺３１に対面する第２辺３２には、図３に示すように、容器１の第１側面１１に対向する接触面３０ａが形成されている。
図２および図６に示すリング３０の第１辺３１および第２辺３２に接する第３辺３３には、容器１の第３側面１３（図２）に対向する接触面３０ａが形成されている。
前記第３辺３３に対面する第４辺３４には、容器１の第４側面１４（図１）に対向する接触面３０ａが形成されている。
このように、リング３０は、容器１の各第１〜第４側面１１〜１４に対向する接触面３０ａを該リング３０の概ね全周に有している。
【００３７】
前記リング３０の上面３０ｂは前記容器１の突出部１９の下端を支持することにより、容器１がリング３０に引っ掛けられる。
【００３８】
ここで、図３および図６に示すように、容器１の第１〜第４側面１１〜１４には抜き勾配Δθが形成されている。また、該第１〜第４側面１１〜１４と、リング３０の内周面３０ａとの間には若干の隙間が存在している。つまり、容器１は前記突出部１９がリング３０の上面３０ｂで支持され、前記リング３０の内周面３０ａにルーズに嵌まっている。
【００３９】
なお、図５に示すように、前記継ぎ部３５は、第１辺３１と、該第１辺３１に隣り合う第３辺３３の延長に形成されている。前記継ぎ部３５は第１および第２辺３１，３３から幅広に形成されていると共に、被固定部４０に向って窄まるように形成されているので、リング３０の鉛直方向Ｚへの撓みが防止される。
【００４０】
ハンガー３の使用方法：
まず、ハンガー３の切欠部４０ｃ内にワゴンＷ（図８）のフレーム２を嵌め込んだ後、ハンドル４５を回転させてハンガー３をフレーム２に固定する。その後、図４に示す容器１の外蓋１６を開いた状態で上方からリング３０内に容器１を挿入すると、図３および図６に示すように、リング３０の上面３０ｂに突出部１９の下端が支持され、容器１がハンガー３に保持される。
【００４１】
注射針を注射器から引き抜く場合には、図９に示す注射針５ａを取外孔１０に挿入し、手前に注射器を若干移動させて、溝１０ｂの両端部１０ｃにフランジ部５ｃを係合させる。その後、注射器５を手前に倒すと、注射針５ａが注射器本体５ｂから外れ、容器本体１ａ内に落下し収納される。前記注射器５を倒す際には、図６に示す容器１が抜き勾配Δθの角度だけ極めて若干傾く。
この傾きにより、容器１の側面１３がリング３０の内周面３０ａに面接触する。
【００４２】
一方、注射針５ａを手前方向Ｒ１とは逆方向に注射器５を倒した場合には、容器１が逆方向に抜き勾配Δθの角度だけ極めて若干傾き、容器１の反対側の側面１４がリング３０の内周面３０ａに面接触する。
したがって、容器１が大きくガタつくことがないから、片手で針部５ａの取り外し作業を容易に行うことができる。
【００４３】
なお、リング３０および鉛直部３５ａが厚板で一体に形成されているのでリング３０自体が変形するおそれがない。
【００４４】
容器１をハンガー３から取り出す際には、把手１８を持って容器１を上方に向って持ち上げて取り外す。
【実施例２】
【００４５】
図７は実施例２を示す。
図７に示すように、ハンガー３Ａは、その断面が略Ｕ字形に形成されている。ハンガー３Ａの内周面３０ａは、容器１の第１〜第４側面１１〜１４の抜き勾配に応じた角度に設定されている。そのため、注射針を注射器から引き抜く場合に容器１のガタつきが防止される。
その他の構成は、実施例１と同様であり、同一部分または相当部分に同一符号を付して、その説明を省略する。
【００４６】
なお、前述した各実施例では、容器１の突出部１９として、帯状突出部１９ａおよび取付部１９ｂとしたが、突出部１９は、容器１の側面の全周に設けられている必要はなく、たとえば、一対の取付部１９ｂのみであってもよい。
また、リングは容器の側面の全周に接触する必要はなく、リングの一部が容器の側面に常に非接触となるようにしてもよい。
【産業上の利用可能性】
【００４７】
本考案の医療廃棄容器用ハンガーは、ワゴンのフレームに引っ掛けて医療廃棄容器を取り付けることができる。
【符号の説明】
【００４８】
１：医療廃棄容器
２：フレーム
３，３Ａ：医療廃棄容器用ハンガー
４：保持機構
１１〜１４：（容器の）側面
１８：把手
１９：突出部
３０：リング
３０ａ：接触面
Ｗ：ワゴン
Ｚ：鉛直方向
【図１】
0003157487.tif 000003
【図２】
0003157487.tif 000004
【図３】
0003157487.tif 000005
【図４】
0003157487.tif 000006
【図５】
0003157487.tif 000007
【図６】
0003157487.tif 000008
【図７】
0003157487.tif 000009
【図８】
0003157487.tif 000010
【図９】
0003157487.tif 000011